(57)【要約】  簡単な方法で端子板と平角線の電気的接続状態の信頼性を高めた端子板回路を提供する。本発明は、端子板、平角線、及び押付け部材を含む端子板回路であって、端子板に平角線が貫通する穴を設け、この穴に平角線が挿入されて端子板と平角線が電気的に接触し、端子板と接触する平角線の面の部分とは反対の側の面の部分への押付け部材の押付け力によって接触状態を保持していること、及び押付け部材が端子板の端部を挟持できる挟持部分を有し、この挟持部分で端子板の端部を挟持することにより押付け部材の押付け力が生じていることを特徴とする。好ましくは、端子板と平角線が電気的に接触した部分を覆うように半田付け又は溶接される。
2009081508.tif 000002
【特許請求の範囲】
【請求項１】
端子板、平角線、及び押付け部材を含む端子板回路であって、端子板に平角線が貫通する穴を設け、この穴に平角線が挿入されて端子板と平角線が電気的に接触し、端子板と接触する平角線の面の部分とは反対の側の面の部分への押付け部材の押付け力によって接触状態を保持していること、及び押付け部材が端子板の端部を挟持できる挟持部分を有し、この挟持部分で端子板の端部を挟持することにより押付け部材の平角線への押付け力が生じていることを特徴とする端子板回路。
【請求項２】
端子板と平角線が電気的に接触した部分を覆うように半田付け又は溶接されていることを特徴とする請求項１または２に記載の端子板回路。
【請求項３】
太陽電池パネル用端子箱内で使用されることを特徴とする請求項１〜３のいずれかに記載の端子板回路。
【発明の詳細な説明】
【技術分野】
【０００１】
本発明は、太陽電池パネル用端子箱内のような過酷な環境下でも端子板と平角線の電気的接続状態を確実に保持するために押付け部材を使用した端子板回路に関する。
【背景技術】
【０００２】
従来、端子板回路において端子板に平角線を電気的に接続するためには、端子板に平角線が貫通する穴を設け、この穴に平角線が上又は下から挿入されて端子板と平角線が電気的に接触する部分を半田付け又は溶接することによって行なわれてきた。【０００３】
しかしながら、端子板回路が太陽電池パネル用端子箱内で使用される場合は、その過酷な環境下で極めて長い間、端子板と平角線の電気的接続状態を保持する必要があるため、上記の従来技術の半田付け又は溶接のみによる接続方法では信頼性が十分ではなかった。【０００４】
一方、端子板と平角線の電気的接続状態の信頼性を高める方法としては、端子板への平角線のネジによる固定後に固定部分を半田付けしたり溶接することも考えられるが、ネジによる固定はネジ穴の設置やネジの取付作業を伴うため、工程が複雑となり好ましくない。
【発明の開示】
【発明が解決しようとする課題】
【０００５】
本発明は、かかる従来技術の現状に鑑み創案されたものであり、その目的は簡単な方法で端子板と平角線の電気的接続状態の信頼性を高めた端子板回路を提供することにある。
【課題を解決するための手段】
【０００６】
本発明者は、上記目的を達成するために鋭意検討した結果、端子板の端部をクリップ状に挟持できる押付け部材を利用して端子板の端部を押付け部材で挟持し、その挟持力によって押付け部材の一部が端子板と平角線の接触部分を押付けるようにすることにより、簡単に信頼性の高い電気的接続状態を保持できることを見出し、本発明の完成に至った。【０００７】
即ち、本発明は、端子板、平角線、及び押付け部材を含む端子板回路であって、端子板に平角線が貫通する穴を設け、この穴に平角線が挿入されて端子板と平角線が電気的に接触し、端子板と接触する平角線の面の部分とは反対の側の面の部分への押付け部材の押付け力によって接触状態を保持していること、及び押付け部材が端子板の端部を挟持できる挟持部分を有し、この挟持部分で端子板の端部を挟持することにより押付け部材の平角線への押付け力が生じていることを特徴とする端子板回路である。【０００８】
本発明の端子板回路の好ましい態様では、端子板と平角線が電気的に接触した部分を覆うように半田付け又は溶接されており、端子板回路が太陽電池パネル用端子箱内で使用される。
【発明の効果】
【０００９】
本発明の端子板回路は、端子板の端部における挟持力を利用した押付け部材の押付け力によって平角線を端子板に押付けているので、簡単な構成で端子板と平角線の電気的接続状態の信頼性を高めることができる。
【図面の簡単な説明】
【００１０】
【図１】本発明の端子板回路の第一実施態様の斜視図である。
【図２】本発明の端子板回路の第一実施態様の側面図である。
【図３】本発明の端子板回路の第二実施態様の斜視図である。
【図４】本発明の端子板回路の第二実施態様の側面図である。
【図５】本発明の端子板回路の第三実施態様の斜視図である。
【図６】本発明の端子板回路の第三実施態様の各構成部品の接触状態を示す破断斜視図である。
【図７】本発明の端子板回路の第三実施態様の各構成部品の接触状態を示す破断側面図である。
【発明を実施するための最良の形態】
【００１１】
本発明の端子板回路の実施態様を以下図面を参照して説明するが、本発明はこれらに限定されるものではない。【００１２】
（第一実施態様）
図１は、本発明の端子板回路の一実施態様の斜視図を示し、図２は、その側面図を示す。図１から明らかなように、端子板回路１は、端子板２、平角線３、及び押付け部材４を含み、端子板２には、平角線３が貫通しかつ横方向に大きく移動できない程度の穴が設けられている。平角線３はこの端子板２の穴に挿入されて端子板２との電気的接続状態を作るが、この状態を確実に保持するために押付け部材４の一部が端子板２と接触する平角線３の面の部分とは反対の側の面の部分へ押付けるようになっている。【００１３】
押付け部材４は、端子板２の端部をクリップ状に挟持できる部分を有し、このように挟持したときに生じる挟持部分の挟持対が互いに近づこうとする挟持力によって押付け部材の挟持対の少なくとも一方が平角線３を押付けようとする力が発生するようになっている。具体的には、挟持部分の挟持対は、端子板の端部を挟持していないときは、端子板の端部の幅より近い距離にあるか又は接触しており、端子板の端部を挟持すると、互いに近づいて元の状態に戻ろうとする復元力を生じるようになっており、これにより挟持対の少なくとも一方が平角線３への押付け力を持つようになっている。【００１４】
押付け部材４が平角線３を押付ける部分は単一部分に限らず、図２から良くわかるように、端子板２の穴において平角線３が端子板と接触している部分、及び端子板２の穴の外側の平面部において平角線３が端子板２に接触している部分のように複数箇所で押付け部材４が平角線３を押付けることが好ましい。【００１５】
本発明の端子板回路１に使用される端子板２及び平角線３は従来公知のものから適宜選択すればよく、端子板２は太陽電池パネル用端子箱内で用いられる場合、その冷却機能を高めるため、図１に示すように拡大されていることが好ましい。また、押付け部材４は、端子板２の端部を挟持できる挟持部分を有し、この挟持部分で端子板２の端部を挟持することにより平角線３への押付け力が生じる限り、いかなる材料（例えば金属、プラスチック）及び形状も採用することができる。【００１６】
本発明の端子板回路は、上述のような平角線３への押付け部材４の押付けに加えて、端子板２と平角線３が電気的に接触した部分を覆うように半田付け又は溶接することによって、さらに強固な端子板２と平角線３の電気的接続状態を作ることができる。【００１７】
（第二実施態様）
図３は、本発明の端子板回路の第二実施態様の斜視図を示し、図４は、その側面図を示す。上記の第一実施態様では、平角線３が端子板２の穴に上から挿入され、押付け部材４によって上から平角線２に押付けられる例を示したが、この第二実施態様では、平角線３が端子板２の穴に下から挿入され、押付け部材４によって上から平角線が押付けられる例を示す。第二実施態様は、上記の点以外は、第一実施態様と基本的に同じである。【００１８】
（第三実施態様）
図５は、本発明の端子板回路の第三実施態様の斜視図を示す。また、図６は、本発明の端子板回路の第三実施態様の各構成部品の接触状態を示す破断斜視図であり、図７はその側面図を示す。【００１９】
この第三実施態様の端子板回路１は、図５〜７からわかるように、平角線３が押付け部材４の分割した挟持部分の間から挿入されて端子板２の穴を貫通して平角線３と端子板２の電気的接触状態を作っている。そして、この電気的接触状態を確実に保持するために、押付け部材４が、その挟持部分によって端子板の端部を挟持しながら、端子板２と接触する平角線３の面の部分とは反対の側の面の部分へ押付けるようになっている。この押付け部材４による平角線３の端子板２への押付け状態は、図６及び図７から最もよく理解することができ、基本的に第一実施態様と同様の原理で達成されている。
【産業上の利用可能性】
【００２０】
本発明の端子板回路は、簡単な方法で端子板と平角線の電気的接続状態の信頼性を高めているので、太陽電池パネル用端子箱内のような過酷な環境下で使用するのに好適である。
【図１】
2009081508.tif 000003
【図２】
2009081508.tif 000004
【図３】
2009081508.tif 000005
【図４】
2009081508.tif 000006
【図５】
2009081508.tif 000007
【図６】
2009081508.tif 000008
【図７】
2009081508.tif 000009
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
端子板、平角線、及び押付け部材を含む端子板回路であって、端子板に平角線が貫通する穴を設け、この穴に平角線が挿入されて端子板と平角線が少なくともこの穴において電気的に接触し、端子板と接触する平角線の面の部分とは反対の側の面の部分への押付け部材の押付け力によって接触状態を保持していること、及び押付け部材が端子板の端部を挟持できる挟持部分を有し、この挟持部分で端子板の端部を挟持することにより押付け部材の平角線への押付け力が生じていることを特徴とする端子板回路。
【請求項２】
端子板と平角線が端子板の穴の外側の平面部においても電気的に接触していることを特徴とする請求項１に記載の端子板回路。
【請求項３】
端子板と平角線が電気的に接触した部分を覆うように半田付け又は溶接されていることを特徴とする請求項１または２に記載の端子板回路。
【請求項４】
太陽電池パネル用端子箱内で使用されることを特徴とする請求項１〜３のいずれかに記載の端子板回路。
【国際調査報告】
2009081508.tif 000010
2009081508.tif 000011